(57)【要約】【課題】デモ運針において指針の位置がずれた場合、利用者が指針の位置ずれを修正する際の操作負担を軽減すること。【解決手段】外部からの操作に応じた操作信号に基づき第１の方向に回転する指針と、前記第１の方向と逆の第２の方向および前記第１の方向に前記指針を回転させるデモ運針において、予め決められている基準位置から前記第１の方向への回転角度が前記基準位置から前記第２の方向への回転角度よりも小さくなる位置に前記指針を位置させるように前記デモ運針を行う制御部とを備えることを特徴とする。【選択図】図１
2011221003.tif 000002
【特許請求の範囲】
【請求項１】
外部からの操作に応じた操作信号に基づき第１の方向に回転する指針と、
前記第１の方向と逆の第２の方向および前記第１の方向に前記指針を回転させるデモ運針において、予め決められている基準位置から前記第１の方向への回転角度が前記基準位置から前記第２の方向への回転角度よりも小さくなる位置に前記指針を位置させるように前記デモ運針を行う制御部と
を備えることを特徴とする電子時計。
【請求項２】
前記制御部は、
前記デモ運針において、前記基準の位置から前記第２に方向に前記指針を回転させた後に、前記第１の方向に前記指針を回転させる回転角度を、前記第２の方向に前記指針を回転させる回転角度未満にすることを特徴とする請求項１に記載の電子時計。
【請求項３】
前記制御部は、
前記デモ運針において、前記基準の位置から前記第２に方向に前記指針を回転させた後に、前記第１の方向に前記指針を運針させる回数を、前記第２の方向に前記指針を運針させる回数未満にすることを特徴とする請求項２に記載の電子時計。
【請求項４】
前記制御部は、
前記デモ運針において、前記基準の位置から前記第１の方向に前記指針を回転させた後に、前記第２の方向に前記指針を回転させる回転角度を、前記第１の方向に前記指針を回転させる回転角度以上にすることを特徴とする請求項３に記載の電子時計。
【請求項５】
前記制御部は、
前記デモ運針において、前記基準の位置から前記第１の方向に前記指針を回転させた後に、前記第２の方向に前記指針を運針させる回数を、前記第１の方向に前記指針を運針させる回数以上にすることを特徴とする請求項４に記載の電子時計。
【請求項６】
前記制御部は、
前記指針を前記第１の方向に回転させる回数を、前記指針を前記第２の方向に回転させる回数よりも少なくすることを特徴とする請求項５に記載の電子時計。
【請求項７】
前記制御部は、
前記第１の方向への回転と前記第２の方向への回転を組み合わせることにより、前記指針の回転方向を２回以上逆転させるようなデモ運動を行うことを特徴とする請求項６に記載の電子時計。
【請求項８】
前記制御部は、
前記デモ運針において、前記第１の方向に指針を回転させた回数である第１カウント回数と前記第２の方向に指針を回転させた回数である第２カウント回数をカウントし、前記第２カウント回数から前記第１カウント回数を減算した解が１以上である場合に、前記デモ運針を終了することを特徴とする請求項７に記載の電子時計。
【請求項９】
前記制御部は、
前記デモ運針において、前記第１の操作信号と異なる第２の操作信号が外部から入力された場合に、前記指針の回転方向を逆転させることを特徴とする請求項８に記載の電子時計。
【請求項１０】
前記制御部は、
前記デモ運針において、前記第１の操作信号と異なる第２の操作信号が入力されると、回転している状態の前記指針を停止させることを特徴とする請求項１に記載の電子時計。
【請求項１１】
前記制御部は、
電池から電力の供給が遮断されている状態において電池から電力の供給が開始されたか否かを判断し当該電池から電力の供給が開始されたと判断した場合に、前記デモ運針を開始することを特徴とする請求項１に記載の電子時計。
【請求項１２】
前記指針は、
前記電子時計に搭載されたストップウォッチ機能が実行される際に、経過時間を計測する指針であることを特徴とする請求項１に記載の電子時計。
【発明の詳細な説明】
【技術分野】
【０００１】
本発明は、指針を試験的に動かすデモ運針を行う電子時計に関する。
【背景技術】
【０００２】
例えば、利用者がりゅうずを引き上げた状態で回転させることで、時計の指針を動かし、時刻の調整や指針の位置ずれを修正することのできる電子時計がある（例えば、特許文献１参照）。
この電子時計は、例えば、引き上げられた状態のりゅうずを押し込むことで、指針を修正するための修正状態から時計機能を発揮する通常状態に戻された場合、指針を一定量だけ回転させた後に元の位置まで逆回転させるデモ運針を行う。
【先行技術文献】
【特許文献】
【０００３】
【特許文献１】特開平５−１９６７５４号公報
【発明の概要】
【発明が解決しようとする課題】
【０００４】
しかしながら、デモ運針において、指針の回転量を制御する制御部に従って指針が回転しない場合、デモ運針後において指針が元の位置に戻らない場合がある。このように、指針が元の位置に戻らない場合、利用者が操作ボタンを押下して、位置のずれた指針を元の位置に戻さなければならない。ここで、操作ボタンとして指針を時計回り方向に正転運針させるものしかなく反時計回り方向に逆転運針させる操作ボタンがない場合、デモ運針において指針が１メモリ分だけ時計回り方向にずれてしまった場合、正転運針のみにより指針を元の位置に戻すことは、利用者の操作において多大な負担となる問題があった。
【０００５】
例えば、図１５Ａおよび図１５Ｂに示すように、指針に動力を与えるモータの回転軸として、円柱の半分がＮ極で他の半分がＳ極で構成される円柱形状の回転軸Ｍを電磁誘導により運針させる電子時計を例に、以下詳細に説明する。
デモ運針において逆転運針の後に正転運針をそれぞれ３０運針（ここで１運針とは、１メモリ運針するように回転軸を回転させることをいう、以下同じ）させる場合、回転軸Ｍの停止状態（つまり、回転軸Ｍの極性と電磁誘導によって発生する極性との関係を示すモータ駆動極性）を予め認識していないと、逆転運針における最初の１運針目で、このモータ駆動極性が吸引状態となってしまう。このため、逆転運針によって２９メモリだけ反時計回りに回転し、正転運針によって３０メモリだけ時計回りに回転することによって、指針が元の位置に戻らない問題がある。
【０００６】
より具体的に説明すると、図１５Ａおよび図１５Ｂに示す通り、回転軸Ｍを回転自在に支持する回転軸支持部材ＫにコイルＣが巻きつけられており、コイルＣに電流が供給されると、回転軸支持部材Ｋに磁界が発生する。この回転軸支持部材Ｋに発生した磁界の極性と回転軸Ｍの極性が反発することで、回転軸Ｍが回転し、指針に動力を与える仕組みとなっている。
図１５Ａに示すように回転軸ＭのＳ極の磁石がＬ側、回転軸ＭのＮ極の磁石がＲ側にある状態で、Ｐの方向に流れる電流ＩをコイルＣに供給すると、モータ駆動極性が反発極性となり、回転軸Ｍが回転する。
一方、図１５Ｂに示すように回転軸ＭのＮ極の磁石がＬ側、回転軸ＭのＳ極の磁石がＲ側にある状態で、Ｐの方向に流れる電流ＩをコイルＣに供給すると、モータ駆動極性が吸引極性となり、回転軸Ｍが回転しない。この場合、Ｑの方向に流れる電流ＩをコイルＣに供給すると、モータ駆動極性が反発極性となり、回転軸Ｍが回転する。
【０００７】
例えば電池交換後にデモ運針を行う場合、コイルＣに電流Ｉを供給する制御部は、回転軸Ｍを構成する磁石の極性の状態を認識していない。このため、モータ駆動極性が吸引極性となり、１運針目においてモータの回転軸Ｍが回転せず、逆転運針により２９メモリ分だけ反時計回りに回転し、正転運針により３０メモリだけ時計回りに回転する。よって、デモ運針において指針が１メモリ分だけ時計回り方向にずれてしまう。
【０００８】
よって、１周が６０メモリである秒針を元の位置に戻す場合、ボタンを５９回押下して秒針を元の位置に戻す必要がある。
また、この秒針に歯車の輪列で連結されている分針がある場合、秒針を時計回りに１周させることで、分針が１メモリ進んでしまう。このため、秒針と分針の両方の位置ずれを修正する場合、ボタンを３５９９回も押下しなければならない。
このため、デモ運針による指針の位置ずれを修正するために、利用者が行う操作負担が多大なものとなる問題があった。
【０００９】
このような課題を鑑みてなされたものであり、その目的は、デモ運針において指針の位置がずれた場合、利用者による指針の位置ずれを修正する際の操作負担を軽減するための電子時計を提供することにある。
【課題を解決するための手段】
【００１０】
上述した課題を解決するために、本発明の一実施形態に係る電子時計は、外部からの操作に応じた操作信号に基づき第１の方向に回転する指針と、前記第１の方向と逆の第２の方向および前記第１の方向に前記指針を回転させるデモ運針において、予め決められている基準位置から前記第１の方向への回転角度が前記基準位置から前記第２の方向への回転角度よりも小さくなる位置に前記指針を位置させるように前記デモ運針を行う制御部とを備えることを特徴とする。
【００１１】
また、本発明の一実施形態に係る電子時計において、前記制御部は、前記デモ運針において、前記基準の位置から前記第２に方向に前記指針を回転させた後に、前記第１の方向に前記指針を回転させる回転角度を、前記第２の方向に前記指針を回転させる回転角度未満にすることを特徴とする。
【００１２】
また、本発明の一実施形態に係る電子時計において、前記制御部は、前記デモ運針において、前記基準の位置から前記第２に方向に前記指針を回転させた後に、前記第１の方向に前記指針を運針させる回数を、前記第２の方向に前記指針を運針させる回数未満にすることを特徴とする。
【００１３】
また、本発明の一実施形態に係る電子時計において、前記制御部は、前記デモ運針において、前記基準の位置から前記第１の方向に前記指針を回転させた後に、前記第２の方向に前記指針を回転させる回転角度を、前記第１の方向に前記指針を回転させる回転角度以上にすることを特徴とする。
【００１４】
また、本発明の一実施形態に係る電子時計において、前記制御部は、前記デモ運針において、前記基準の位置から前記第１の方向に前記指針を回転させた後に、前記第２の方向に前記指針を運針させる回数を、前記第１の方向に前記指針を運針させる回数以上にすることを特徴とする。
【００１５】
また、本発明の一実施形態に係る電子時計において、前記制御部は、前記指針を前記第１の方向に回転させる回数を、前記指針を前記第２の方向に回転させる回数よりも少なくすることを特徴とする。
【００１６】
また、本発明の一実施形態に係る電子時計において、前記制御部は、前記第１の方向への回転と前記第２の方向への回転を組み合わせることにより、前記指針の回転方向を２回以上逆転させるようなデモ運動を行うことを特徴とする。
【００１７】
また、本発明の一実施形態に係る電子時計において、前記制御部は、前記デモ運針において、前記第１の方向に指針を回転させた回数である第１カウント回数と前記第２の方向に指針を回転させた回数である第２カウント回数をカウントし、前記第２カウント回数から前記第１カウント回数を減算した解が１以上である場合に、前記デモ運針を終了することを特徴とする。
【００１８】
また、本発明の一実施形態に係る電子時計において、前記制御部は、前記デモ運針において、前記第１の操作信号と異なる第２の操作信号が外部から入力された場合に、前記指針の回転方向を逆転させることを特徴とする。
【００１９】
また、本発明の一実施形態に係る電子時計において、前記制御部は、前記デモ運針において、前記第１の操作信号と異なる第２の操作信号が入力されると、回転している状態の前記指針を停止させることを特徴とする。
【００２０】
また、本発明の一実施形態に係る電子時計において、前記制御部は、電池から電力の供給が遮断されている状態において電池から電力の供給が開始されたか否かを判断し当該電池から電力の供給が開始されたと判断した場合に、前記デモ運針を開始することを特徴とする。
【００２１】
また、本発明の一実施形態に係る電子時計において、前記指針は、前記電子時計に搭載されたストップウォッチ機能が実行される際に、経過時間を計測する指針であることを特徴とする。
【発明の効果】
【００２２】
デモ運針において指針の位置がずれた場合、利用者が指針の位置ずれを修正する際の操作負担を軽減できる。
【図面の簡単な説明】
【００２３】
【図１】本発明の第１実施形態に係る電子時計の一例について示す概略図である。
【図２】本発明の第１実施形態に係る電子時計の機能の一例について説明するための図である。
【図３】本発明の第１実施形態に係る電子時計の制御系の一例を説明するためのブロック図である。
【図４】本発明の第１実施形態に係る電子時計のデモ運針の一例を示す図である。
【図５】本発明の第１実施形態に係る電子時計の自動デモ運針における動作フローの一例を説明するためのフローチャートである。
【図６】本発明の第１実施形態に係る電子時計のりゅうず０段処理における動作フローの一例を説明するためのフローチャートである。
【図７】本発明の第１実施形態に係る電子時計のりゅうず１段処理における動作フローの一例を説明するためのフローチャートである。
【図８】本発明の第２実施形態に係る電子時計の機能の一例について説明するための図である。
【図９】本発明の第２実施形態に係る電子時計の制御系の一例を説明するためのブロック図である。
【図１０】本発明の第２実施形態に係る電子時計の自動デモ運針における動作フローの一例を説明するためのフローチャートである。
【図１１】本発明の第２実施形態に係る電子時計のりゅうず０段処理における動作フローの一例を説明するためのフローチャートである。
【図１２】本発明の第２実施形態に係る電子時計のりゅうず１段処理における動作フローの一例を説明するためのフローチャートである。
【図１３】本発明の第３実施形態に係る電子時計の制御系の一例を説明するためのブロック図である。
【図１４】本発明の第３実施形態に係る電子時計の自動デモ運針における動作フローの一例を説明するためのフローチャートである。
【図１５Ａ】モータのモータ駆動極性について説明するための図である。
【図１５Ｂ】モータのモータ駆動極性について説明するための図である。
【発明を実施するための形態】
【００２４】
［第１実施形態］
以下、本発明による一実施形態について、図面を参照して説明する。
図１は、本実施形態に係る電子時計１０の一例について示す概略図である。
図１に示す通り、本実施形態に係る電子時計１０は、中心軸Ｃ１を中心に回転可能に設けられる時針１１、分針１２および秒針１３を備える。この電子時計１０は、この中心軸Ｃ１と異なる中心軸Ｃ２を中心に回転可能に設けられるクロノグラフ１／１０秒針１４と、この中心軸Ｃ１と異なる中心軸Ｃ３を中心に回転可能に設けられるクロノグラフ秒針１５と、この中心軸Ｃ１と異なる中心軸Ｃ４を中心に回転可能に設けられるクロノグラフ分針１６とを備える。
この時針１１、分針１２および秒針１３は、時刻を測る時計機能を実現する指針である。クロノグラフ１／１０秒針１４、クロノグラフ秒針１５およびクロノグラフ分針１６は、経過時間を計測するストップウォッチ機能を実現する指針である。
【００２５】
この時針１１、分針１２および秒針１３は、例えば歯車の輪列によってそれぞれ連結されており、同一のモータ（図３において符号２９が付される）によって動力が与えられることでそれぞれが連動して回転する。つまり、当該モータによって６０秒に相当する動力（言い換えると、秒針１３が１秒を刻む１メモリを６０メモリ分回転させる回転量）が秒針１３に与えられた場合、秒針１３は１周して元の場所に戻り、秒針１３に従動する分針１２が１分に相当する１メモリを進む。また、当該モータによって３６００秒に相当する動力が秒針１３に与えられた場合、秒針１３は６０周して元の場所に戻り、分針１２は１周して元の場所に戻り、秒針１３に従動する時針１１が１時間に相当する５メモリを進む。
なお、このようにして、モータから与えられた動力により、秒針１３の回転に伴って分針１２および時針１１が従動するように時針１１、分針１２および秒針１３を回転させる構造体を“時刻針部”（図３において符号３２が付される）と、以下呼称する。
【００２６】
また、クロノグラフ１／１０秒針１４は、一のモータ（図３において符号３０が付される）によって動力が与えられることによって回転する。１／１０秒に相当する回転力が与えられるとクロノグラフ１／１０秒針１４は１メモリ進む。なお、指針が１メモリ進むことを、指針を１メモリ分回転させるともいう。また、指針が進むメモリ数を、以下回転数ともいう。クロノグラフ１／１０秒針１４は、１０メモリ進むと１周して元の場所に戻る。
なお、このようにして、モータから与えられた動力により、クロノグラフ１／１０秒針１４を回転させる構造体を“クロノグラフ１／１０秒針部”（図３において符号３３が付される）と、以下呼称する。
【００２７】
さらに、クロノグラフ秒針１５とクロノグラフ分針１６は、例えば歯車の輪列によってそれぞれ連結されており、同一のモータ（図３において符号３１が付される）によって動力が与えられることでそれぞれが連動して回転する。つまり、当該モータによって６０秒に相当する回転力がクロノグラフ秒針１５に与えられた場合、クロノグラフ秒針１５は６０メモリ進んで１周し元の場所に戻り、クロノグラフ秒針１５に従動するクロノグラフ分針１６が１分に相当する１メモリ進む。
なお、このようにして、モータから与えられた動力により、クロノグラフ秒針１５の回転に伴ってクロノグラフ分針１６が従動するようにクロノグラフ秒針１５およびクロノグラフ分針１６を回転させる構造体を“クロノグラフ秒針部”（図３において符号３４が付される）と、以下呼称する。
【００２８】
この電子時計１０は、ユーザによって操作可能な位置に、りゅうず１７と、スイッチＡと、スイッチＢを備える。なお、図２を参照して、りゅうず１７、スイッチＡおよびスイッチＢを介して与えられる操作に応じた機能についてもあわせて説明する。
このりゅうず１７は、Ｆの方向に引き出すことができ、Ｆの方向に引き出された状態をりゅうず位置１段状態といい、Ｆの方向と逆方向に押し込まれた状態をりゅうず位置０段状態という。
【００２９】
図２に示す通り、電子時計１０は、りゅうず位置０段状態において、スイッチＡがＧの方向に押下されることで、クロノグラフ１／１０秒針１４、クロノグラフ秒針１５およびクロノグラフ分針１６によるストップウォッチ機能を開始させ（クロノスタート）、あるいは、停止させる（クロノストップ）。
例えば、電子時計１０は、りゅうず位置０段状態であって、クロノグラフ１／１０秒針１４、クロノグラフ秒針１５およびクロノグラフ分針１６が停止している状態において、スイッチＡがＧの方向に押下された場合、クロノグラフ１／１０秒針１４、クロノグラフ秒針１５およびクロノグラフ分針１６の動作を開始させる。また、電子時計１０は、りゅうず位置０段状態であって、クロノグラフ１／１０秒針１４、クロノグラフ秒針１５およびクロノグラフ分針１６が動作している状態において、スイッチＡがＧの方向に押下された場合、クロノグラフ１／１０秒針１４、クロノグラフ秒針１５およびクロノグラフ分針１６を停止させる。
【００３０】
また、電子時計１０は、りゅうず位置０段状態において、スイッチＢがＨの方向に押下されることで、クロノグラフ１／１０秒針１４、クロノグラフ秒針１５およびクロノグラフ分針１６の動作のリセット、すなわち、初期状態に復帰（帰零）させる。
この「動作のリセット」とは、クロノグラフ１／１０秒針１４、クロノグラフ秒針１５およびクロノグラフ分針１６を、予め決められている基準位置に強制的に復帰（帰零）させるとともに、クロノグラフ１／１０秒針１４、クロノグラフ秒針１５およびクロノグラフ分針１６の運針の停止および電気的な位置情報のリセットを行うことをいう。
このクロノグラフ１／１０秒針１４、クロノグラフ秒針１５およびクロノグラフ分針１６の基準位置とは、図示の通り、それぞれがメモリ「０」の位置にあることをいう。
【００３１】
なお、電子時計１０は、りゅうず位置０段状態において、スイッチＡとスイッチＢとが同時に押された場合、および、りゅうず１７が回転された場合であっても、なんら機能を発揮しない。
【００３２】
一方、電子時計１０は、りゅうず位置１段状態において、スイッチＡがＧの方向に１回押下されることで、クロノグラフ１／１０秒針１４を１メモリだけ時計回りの方向に回転させる。つまり、電子時計１０は、操作信号に基づき、クロノグラフ１／１０秒針１４を、時計回り方向に１回、回転させる。これにより、利用者がクロノグラフ１／１０秒針１４の位置ずれを修正することができる。
また、電子時計１０は、りゅうず位置１段状態において、スイッチＢがＨの方向に１回押下されることで、クロノグラフ秒針１５を１メモリだけ時計回りの方向に回転させる。つまり、電子時計１０は、操作信号に基づき、クロノグラフ秒針１５を、時計回り方向に１回、回転させる。これにより、利用者がクロノグラフ秒針１５およびクロノグラフ分針１６の位置ずれを修正することができる。つまり、クロノグラフ分針１６がクロノグラフ秒針１５に従動しているため、電子時計１０は、りゅうず位置１段状態において、スイッチＢがＨの方向に６０回押下されることで、クロノグラフ分針１６を１メモリだけ時計回りの方向に回転させることができる。
【００３３】
さらに、電子時計１０は、りゅうず位置１段状態において、スイッチＡとスイッチＢの両方が同時に押下されることで、試験的にクロノグラフ１／１０秒針１４、クロノグラフ秒針１５およびクロノグラフ分針１６を動作させる手動デモ運針を行う。この手動デモ運針によって、利用者は、クロノグラフ秒針１５およびクロノグラフ分針１６が動くか否かを確認することができる。
また、電子時計１０は、りゅうず位置１段状態において、ユーザによってりゅうず１７が回されることにより、時針１１、分針１２および秒針１３を時計回りあるいは反時計回りに回転させる。これにより、利用者が時刻を調整することができる。
【００３４】
次に、図３を用いて、電子時計１０の制御系を説明する。図３は、電子時計１０の制御性を示すブロック図である。
図３に示す通り、電子時計１０は、発振器２１と、分周回路２２と、制御部２３と、時刻駆動タイミング発生部２４と、クロノ駆動タイミング発生部２５と、第１駆動回路２６と、第２駆動回路２７と、第３駆動回路２８と、時刻表示モータ２９と、クロノグラフ１／１０秒表示モータ３０と、クロノグラフ秒表示モータ３１と、時刻針部３２と、クロノ１／１０秒針部３３と、クロノ秒針部３４と、制御ソフトウェア３５と、記憶部３６と、電池３７と、デモ運針正転回数記憶部３８と、デモ運針逆転回数記憶部３９とを備える。
【００３５】
発振器２１は、一定の間隔で周期的に連続する基準クロック信号を出力する。
分周回路２２は、発振器２１から入力された基準クロック信号を分周して、制御部２３に出力する。
制御部２３は、分周回路２２から入力された基準クロック信号を時刻駆動タイミング発生部２４およびクロノ駆動タイミング発生部２５に出力するとともに、時刻駆動タイミング発生部２４およびクロノ駆動タイミング発生部２５のそれぞれから入力される駆動タイミングに従って第１駆動回路２６、第２駆動回路２７および第３の駆動回路２８を駆動させる。
また、制御部２３は、制御ソフトウェア３５に記憶されているプログラムを参照して、りゅうず１７が押し込められている場合、りゅうず位置０段状態であることを検出し、りゅうず０段処理を実行する。また、りゅうず１７が引き出されている場合、制御部２３は、りゅうず位置１段状態であることを検出し、りゅうず１段処理を実行する。なお、このりゅうず０段処理は、時計機能を発揮する通常モードにおいて実行される処理であって、りゅうず１段処理は、指針を修正するための修正モードにおいて実行される処理である。
さらに、制御部２３は、制御ソフトウェア３５に記憶されているプログラムに従って動作し、予め決められたタイミングでデモ運針を行う。
【００３６】
このデモ運針として、例えば電源が投入された直後に制御部２３がデモ運針を行う自動デモ運針と、スイッチＡやスイッチＢから出力される操作信号に応じて制御部２３がデモ運針を行う手動デモ運針とがある。
この自動デモ運針は、電源が投入された直後に、クロノグラフ１／１０秒針１４、クロノグラフ秒針１５およびクロノグラフ分針１６を動作させることで、交換された電池３７から正常に電力が供給されていることや、クロノグラフ１／１０秒針１４、クロノグラフ秒針１５およびクロノグラフ分針１６が電力供給によって動作可能であることを、利用者に通知する機能を有する。
また、手動デモ運針は、制御部２３によってモータ駆動極性が検出された後に、利用者によって、クロノグラフ１／１０秒針１４、クロノグラフ秒針１５およびクロノグラフ分針１６を試験的に動作させることのできる機能を有する。
この制御部２３は、電池３７から電力の供給が遮断されている状態において電池３７から電力の供給が開始されたか否かを判断し、電池３７から電力の供給が開始されたと判断した場合に、自動デモ運針を開始する。
【００３７】
時刻駆動タイミング発生部２４およびクロノ駆動タイミング発生部２５は、入力する基準クロック信号をカウントするカウンタ２４０およびカウンタ２５０をそれぞれ備える。
時刻駆動タイミング発生部２４は、入力される基準クロック信号を予め決められた数だけカウントすると駆動タイミング信号Ｓ１を出力する。カウンタ２４０は、時刻駆動タイミング発生部２４が出力する駆動タイミング信号Ｓ１を出力した回数をカウントする。
一方、クロノ駆動タイミング発生部２５は、入力される基準クロック信号を予め決められた数だけカウントすると駆動タイミング信号Ｓ２および駆動タイミング信号Ｓ３を出力する。カウンタ２５０は、時刻駆動タイミング発生部２５が出力する駆動タイミング信号Ｓ２、Ｓ３を出力した回数をそれぞれカウントする。
これら時刻駆動タイミング発生部２４あるいはクロノ駆動タイミング発生部２５は、カウンタ２４０あるいはカウンタ２５０がカウントした駆動タイミング信号Ｓ１〜Ｓ３の回数に基づき、クロノグラフ１／１０秒針１４、クロノグラフ秒針１５およびクロノグラフ分針１６の現在位置を算出する。なお、カウンタ２４０あるいはカウンタ２５０がカウントした値は、時刻駆動タイミング発生部２４およびクロノ駆動タイミング発生部２５に内蔵されている記憶部にそれぞれ記憶される。
【００３８】
この時刻駆動タイミング発生部２４は、１秒に相当する長さを示す基準クロック信号の数がカウンタ２４０によってカウントされる度に、駆動タイミング信号Ｓ１を出力する。
また、クロノ駆動タイミング発生部２５は、１／１０秒に相当する長さを示す基準クロック信号の数がカウンタ２５０によってカウントされる度に、駆動タイミング信号Ｓ２を出力する。このクロノ駆動タイミング発生部２５は、１秒に相当する長さを示す基準クロック信号の数がカウンタ２５０によってカウントされる度に、駆動タイミング信号Ｓ３を出力する。また、クロノ駆動タイミング発生部２５は、例えば、１／１０秒に相当する長さの１０倍の長さを示す基準クロック信号をカウントすることで、駆動タイミング信号Ｓ３を出力するものであってもよい。
【００３９】
第１駆動回路２６は、制御部２３を介して時刻駆動タイミング発生部２４から駆動タイミング信号Ｓ１が入力されると、時刻表示モータ２９を駆動させる。
第２駆動回路２７は、制御部２３を介してクロノ駆動タイミング発生部２５から駆動タイミング信号Ｓ２が入力されると、クロノグラフ１／１０秒表示モータ３０を駆動させる。
第３駆動回路２８は、制御部２３を介してクロノ駆動タイミング発生部２５から駆動タイミング信号Ｓ３が入力されると、クロノグラフ１秒表示モータ３１を駆動させる。
これら第１〜３駆動回路２６〜２８は、それぞれに入力される前記各駆動タイミング信号により、それぞれの前記各モータを駆動する毎に、前回駆動時と反転極性となる駆動信号を出力するようコイルに電流を流す。
【００４０】
時刻針部３２は、時刻表示モータ２９によって与えられる動力を時針１１、分針１２および秒針１３に伝達する。
クロノ１／１０秒針部３３は、クロノグラフ１／１０秒表示モータ３０によって与えられる動力をクロノグラフ１／１０秒針１４に伝達する。
クロノ秒針部３４は、クロノグラフ１秒表示モータ３１によって与えられる動力をクロノグラフ秒針１５およびクロノグラフ分針１６に伝達する。
【００４１】
制御ソフトウェア３５は、制御部２３の制御に基づくプログラム（制御ソフトウェアプログラムという）が記憶されている記憶領域である。この制御ソフトウェアプログラムには、例えば、電源が投入された直後に制御部２３が自動デモ運針を行うことが予め決められている。具体的に説明すると、この制御ソフトウェアプログラムには、自動デモ運針において、デモ運針逆転回数記憶部３９に記憶されているデモ運針逆転回数分、逆転運針を行った後に、デモ運針正転回数記憶部３８に記憶されているデモ運針正転回数分、正転運針を行うことが予め決められている。なお、このデモ運針逆転回数およびデモ運針正転回数は、指針が進むメモリの数と等しい。
また、この制御ソフトウェアプログラムには、図２に示す通り、操作に応じた制御部２３の制御を規定するプログラムが記憶されている。
【００４２】
記憶部３６は、制御部２３による制御状態を一次的に記憶する。例えば、クロノグラフ１／１０秒針１４、クロノグラフ秒針１５およびクロノグラフ分針１６を用いたストップウォッチ機能が実行中（以下、クロノ作動中と記す）であるか否かを記憶する。
電池３７は、制御部２３を介して電子時計１０の全体に電力を供給する。
【００４３】
デモ運針正転回数記憶部３８は、自動デモ運針の際に、制御部２３によってクロノグラフ１／１０秒針１４、クロノグラフ秒針１５およびクロノグラフ分針１６を時計回りに回転させる回数（メモリ）であるデモ運針正転回数を記憶する。このデモ運針正転回数記憶部３８は、クロノグラフ秒針１５のデモ運針正転回数として、２９メモリ（２９運針）を記憶する。なお、クロノグラフ１／１０秒針１４のデモ運針正転回数として、例えば、４メモリ（４運針）を記憶する。
デモ運針逆転回数記憶部３９は、自動デモ運針の際に、制御部２３によってクロノグラフ１／１０秒針１４、クロノグラフ秒針１５およびクロノグラフ分針１６を反時計回りに回転させる回数（メモリ数）であるデモ運針逆転回数を記憶する。このデモ運針逆転回数記憶部３９は、クロノグラフ秒針１５のデモ運針逆転回数として、３０メモリ（３０運針）を記憶する。なお、クロノグラフ１／１０秒針１４のデモ運針正転回数として、例えば、５メモリ（５運針）を記憶する。
【００４４】
このデモ運針正転規定数とデモ運針逆転規定数について、図４に示す。図４に示す通り、クロノグラフ１／１０秒針１４およびクロノグラフ秒針１５を反時計回りの方向に回転（逆転）させるメモリ数を、クロノグラフ１／１０秒針１４、クロノグラフ秒針１５およびクロノグラフ分針１６を時計回りに回転（正転）させるメモリ数よりも少なくとも１メモリ分だけ少なくするようにしている。
言い換えると、制御部２３は、クロノグラフ１／１０秒針１４およびクロノグラフ秒針１５を時計回りの方向に回転させる角度を、クロノグラフ１／１０秒針１４およびクロノグラフ秒針１５を反時計回りの方向に回転させる角度よりも小さくするようにしている。なお、自動デモ運針において、最初に反時計回りの方向に回転させる場合に限る。
【００４５】
つまり、デモ運針において、制御部２３は、基準位置から時計回りの方向への回転角度が、基準位置から反時計回りの方向への回転角度よりも小さくなる位置に指針を位置させるようにデモ運針を行う。
なお、上述の通り、クロノグラフ１／１０秒針１４、クロノグラフ秒針１５およびクロノグラフ分針１６は、ユーザがスイッチＡ，Ｂあるいはりゅうず等を操作したことにより制御部２３から入力する操作信号に基づき、時計回りの方向にのみ回転するものである。
【００４６】
本実施形態においては、デモ運針における指針の動きは、最初に反時計回りに回転した後、時計回りに回転する動きであることが予め決められている。なお、最初の回転方向とは、基準位置に指針が存在している状態からでも運針が開始する際に回転する方向をいう。
このように、最初に反時計回りに指針（例えばクロノグラフ秒針１５）を回転させる場合、制御部２３は、時計回りに指針（クロノグラフ秒針１５）を回転させる回転角度（２９メモリ分＝１７４°）を、反時計回りに指針（クロノグラフ秒針１５）を回転させる回転角度（３０メモリ分＝１８０°）未満にするようにデモ運針を行う。
なお、デモ運針として、最初に指針を時計回りに回転（正転）させることが予め決められている実施形態においては、本実施形態と異なり、正転および逆転の回転角度が同一であってもよい。つまり、制御部２３が、反時計回りに指針を回転させる回転角度を、時計回りに指針を回転させる回転角度以上にするようにデモ運針を行う。
上述の例は、全て、デモ運針により回転する指針のクロノグラフ１／１０秒針１４、クロノグラフ秒針１５およびクロノグラフ分針１６が、外部からの操作に応じた操作信号に基づき時計回りに回転するという前提においての設定である。
【００４７】
つまり、これらクロノグラフ１／１０秒針１４、クロノグラフ秒針１５およびクロノグラフ分針１６が、外部からの操作に応じた操作信号に基づき反時計回りに回転するという電子時計においては、これらの設定が全て逆転する。
例えば、デモ運針における指針の動きとして、最初に反時計回りに指針を回転（逆転）させる場合、制御部２３は、反時計回りに指針を回転させる回転角度を、時計回りに指針を回転させる回転角度以下にするようにデモ運針を行う。
また、デモ運針として、最初に指針を時計回りに回転（正転）させる場合、制御部２３が、時計回りに指針を回転させる回転角度を、反時計回りに指針を回転させる回転角度未満にするようにデモ運針を行う。
【００４８】
次に、図５〜７を用いて、電子時計１０の動作について説明する。ここでは、デモ運針において、クロノグラフ秒針１５を運針する例を用いて以下説明する。クロノグラフ１／１０秒針１４のデモ運針の説明については省略する。
図５は、電子時計１０の自動デモ運針のフローについて説明ためのフローチャートである。
図５に示す通り、例えば、利用者によって電池交換が行われると、交換された電池３７の電力が制御部２３に供給される。これにより、制御部２３は、制御ソフトウェア３５を参照して、電源が投入されたことを判断し、自動デモ運針を開始する。また、制御部２３は、電池３７からの電力を発振器２１に供給して、発振器２１からの基準クロック信号を得る。
この制御部２３は、デモ運針逆転回数記憶部３９を参照して、クロノグラフ秒針１５を、それぞれ反時計回りに３０運針させる（ステップＳＴ１）。次いで、制御部２３は、デモ運針正転回数記憶部３８を参照して、クロノグラフ秒針１５を、それぞれ時計回り方向に２９運針させる（ステップＳＴ２）。
この自動デモ運針において、第３駆動回路２８が、クロノグラフ秒表示モータ３１のモータ駆動極性を検出し、内蔵する記憶部に記憶しておく。また同様にして、第２駆動回路２７が、クロノグラフ１／１０秒表示モータ３０のモータ駆動極性を検出し、内蔵する記憶部に記憶しておく。
【００４９】
次いで、制御部２３は、りゅうず１７がりゅうず位置１段状態であるか、あるいは、りゅうず位置０段状態であるかを判断する（ステップＳＴ３）。
制御部２３は、りゅうず位置０段状態であると判断した場合（ステップＳＴ３−ＹＥＳ）、りゅうず０段処理に進む（ステップＳＴ４）。一方、制御部２３は、りゅうず位置１段状態であると判断した場合（ステップＳＴ３−ＮＯ）、りゅうず１段処理に進む（ステップＳＴ５）。
【００５０】
次に、図６を参照して、りゅうず０段処理の一例について説明する。図６は、りゅうず０段処理の一例について説明するためのフローチャートである。
図６に示す通り、りゅうず位置０段状態に移行すると、制御部２３は、スイッチＡが押下されたか否かを判断する（ステップＳＴ１１）。そして、スイッチＡが押下された場合、制御部２３は、記憶部３６を参照して、クロノ作動中であるか否かを判断する（ステップＳＴ１２）。
【００５１】
ここで、クロノ作動中でない場合（ステップＳＴ１２−ＮＯ）、制御部２３は、ストップウォッチ機能の動作開始を示すスイッチ信号をクロノ駆動タイミング発生部２５に出力し、クロノグラフによるストップウォッチ機能の実行を開始させる（ステップＳＴ１３）。また、制御部２３は、記憶部３６にクロノ作動中であることを示す情報を記憶させる。
【００５２】
一方、クロノ作動中である場合（ステップＳＴ１２−ＹＥＳ）、制御部２３は、ストップウォッチ機能の停止を示すスイッチ信号をクロノ駆動タイミング発生部２５に出力する（ステップＳＴ１４）。そして、制御部２３は、記憶部３６に記憶されているクロノ作動中であることを示す情報を削除する。なお、制御部２３は、クロノ作動中でないことを示す情報をさらに記憶させるものであってもよい。
【００５３】
また、ステップＳＴ１１においてスイッチＡが押下されなかった場合（ステップＳＴ１１−ＮＯ）、制御部２３は、スイッチＢが押下されたか否かを判断する（ステップＳＴ１５）。そして、スイッチＢが押下された場合、制御部２３は、記憶部３６を参照して、クロノ作動中であるか否かを判断する（ステップＳＴ１６）。
ここで、クロノ作動中でない場合（ステップＳＴ１６−ＮＯ）、制御部２３は、クロノ駆動タイミング発生部２５に対して、クロノグラフ１／１０秒針１４、クロノグラフ秒針１５およびクロノグラフ分針１６を初期状態に復帰させる（以下、クロノ帰零という）（ステップＳＴ１７）。例えば、制御部２３は、カウンタ２５０によってカウントされた駆動タイミング信号Ｓ２、Ｓ３に基づき、クロノグラフ１／１０秒針１４、クロノグラフ秒針１５およびクロノグラフ分針１６の現在位置を算出し、各指針の基準位置であるメモリ「０」の位置と現在位置との差分に対応するメモリだけ運針させてクロノ帰零する。
【００５４】
次いで、制御部２３は、クロノ駆動タイミング発生部２５に内蔵される記憶部に記憶されている駆動タイミング信号Ｓ２、Ｓ３のカウント数や、基準クロック数に基づくカウント数を消去して、初期化を行う（ステップＳＴ１８）。
【００５５】
一方、ステップＳＴ１６においてクロノ作動中である場合（ステップＳＴ１６−ＹＥＳ）、ステップＳＴ１９に移行する。
【００５６】
次いで、制御部２３は、時刻駆動タイミング発生部２４から駆動タイミング信号Ｓ１が入力されたか否かを判断する（ステップＳＴ１９）。
ここで、時刻駆動タイミング発生部２４は、基準クロック信号に基づきカウンタ２４０によりカウントされる時間が１秒を経過した場合、駆動タイミング信号Ｓ１を制御部２３に出力する。この制御部２３は、駆動タイミング信号Ｓ１が入力されると、時刻駆動タイミング発生であると判断して（ステップＳＴ１９−ＹＥＳ）、第１駆動回路２６を駆動させ、秒針１３を１運針させる（ステップＳＴ２０）。
【００５７】
そして、制御部２３は、クロノ駆動タイミング発生部２５から駆動タイミング信号Ｓ２あるいは駆動タイミング信号Ｓ３が入力されたか否かを判断する（ステップＳＴ２１）。
ここで、クロノ駆動タイミング発生部２５は、ステップＳＴ１３において、動作開始を示すスイッチ信号が入力されてからクロノグラフ１／１０秒針１４を１運針させるための時間が、基準クロック信号に基づきカウンタ２５０によりカウントされた場合、駆動タイミング信号Ｓ２を制御部２３に出力する。この制御部２３は、駆動タイミング信号Ｓ２が入力されると、クロノ駆動タイミング発生であると判断して（ステップＳＴ２１−ＹＥＳ）、第２駆動回路２７を駆動させ、クロノグラフ１／１０秒針１４を１運針させる（ステップＳＴ２２）。
また、クロノ駆動タイミング発生部２５は、スイッチ信号が入力されてからクロノグラフ秒新１５を１運針させるための時間が、基準クロック信号に基づきカウンタ２５０によりカウントされた場合、駆動タイミング信号Ｓ３を制御部２３に出力する。これにより、クロノグラフ秒針１５が１運針される。
そして、図５に示したステップＡに戻る。
【００５８】
次に、図７を参照して、りゅうず１段処理の一例について、図７を参照して説明する。図７は、りゅうず１段処理の一例について説明するためのフローチャートである。
図７に示す通り、りゅうず位置１段状態に移行すると、制御部２３は、スイッチＡが押下されたか否かを判断する（ステップＳＴ３１）。そして、スイッチＡが押下された場合、制御部２３は、第２駆動回路２７を駆動させる。これにより、クロノグラフ１／１０秒表示モータ３０は、クロノグラフ１／１０秒針１４を１運針させる（ステップＳＴ３２）。
【００５９】
そして、ステップＳＴ３１においてスイッチＡが押下されなかった場合（ステップＳＴ３１−ＮＯ）、制御部２３は、スイッチＢが押下されたか否かを判断する（ステップＳＴ３３）。
ここで、スイッチＢが押下された場合（ステップＳＴ３３−ＹＥＳ）、制御部２３は、第３駆動回路２８を駆動させる。これにより、クロノグラフ秒表示モータ３０は、クロノグラフ秒針１５を１運針させる（ステップＳＴ３４）。
【００６０】
次いで、ステップＳＴ３３においてスイッチＢが押下されない場合（ステップＳＴ３３−ＮＯ）、制御部２３は、スイッチＡとスイッチＢとが同時に押下されたか否かを判断する（ステップＳＴ３５）。
ここで、スイッチＡとスイッチＢとが同時に押下された場合（ステップＳＴ３５−ＹＥＳ）、制御部２３は、手動デモ運針を行う。つまり、制御部２３は、第２駆動回路２７および第３駆動回路２８を駆動させ、デモ運針逆転回数記憶部３９を参照してクロノグラフ１／１０秒針１４を逆転方向に５運針させるとともに、デモ運針逆転回数記憶部３９を参照してクロノグラフ秒針１５を逆転方向に３０運針させる（ステップＳＴ３６）。
次いで、制御部２３は、第２駆動回路２７および第３駆動回路２８を駆動させ、デモ運針正転回数記憶部３８を参照してクロノグラフ１／１０秒針１４を正転方向に４運針させるとともに、デモ運針正転回数記憶部３８を参照してクロノグラフ秒針１５を正転方向に２９運針させる（ステップＳＴ３７）。
そして、図５に示したステップＡに戻る。
【００６１】
上述の通り、本実施形態に係る電子時計１０は、修正モード（りゅうず１段処理）において、スイッチＡあるいはスイッチＢが押下されることで、クロノグラフ１／１０秒針１４あるいはクロノグラフ秒針１５を、時計回りの方向である正転方向にしか運針できない操作部を有する。この構成において、クロノグラフ秒針１５を回転させる自動デモ運針において、最初に運針する方向であって、かつ、スイッチＡおよびスイッチＢによって修正できない方向である反時計回りの逆転運針による指針の移動量（３０運針）を、スイッチＡあるいはスイッチＢにより修正できる方向である時計回りの正転運針による指針の移動量２９運針）に比べて多くする。
これにより、例えば、自動デモ運針の最初の１運針目で、第３駆動回路２８のモータ駆動極性が吸引状態となった場合であっても、最初にメモリ「０」の基準位置にあったクロノグラフ秒針１５は、反時計回りに２９運針した後、時計回りに２９運針する。このため、クロノグラフ秒針１５は、最初のメモリ「０」の基準位置に戻ってくる。
一方、自動デモ運針の最初の１運針目で、第３駆動回路２８のモータ駆動極性が吸引状態とならなかった場合であっても、最初にメモリ「０」の基準位置にあったクロノグラフ秒針１５は、反時計回りに３０運針した後、時計回りに２９運針する。このため、クロノグラフ秒針１５は、メモリ「０」の基準位置よりも１メモリだけ反時計回り方向のメモリ「５９」の位置となる。よって、このように自動デモ運針の後で指針が元の位置に戻らない場合であっても、スイッチＡを１回押下するだけで、クロノグラフ秒針１５をメモリ「０」の基準位置に戻すことができる。従って、デモ運針によって指針が位置ずれした場合の修正において、利用の操作が容易であり、短い時間で修正することができる。
【００６２】
一方、本発明によらず、自動デモ運針の正転運針および逆転運針の両方とも３０運針を行う場合に、最初の１運針目で第３駆動回路２８のモータ駆動極性が吸引状態となった場合、最初にメモリ「０」の基準位置にあったクロノグラフ秒針１５は、反時計回りに２９運針した後、時計回りに３０運針する。このため、メモリ「０」の基準位置よりも１メモリだけ時計回り方向に進んだメモリ「１」の位置となる。
よって、このクロノグラフ１／１０秒針１４を、メモリ「０」の位置に戻す場合、例えば、スイッチＡを１０回押下し、クロノグラフ１／１０秒針１４を時計回りに一周させる必要がある。このため、利用者にとって修正のための操作が負担となる問題があった。
また、自動デモ運針によって、クロノグラフ秒針１５がメモリ「１」の位置にずれてしまった場合、スイッチＡを５９回押下すればクロノグラフ秒針１５が時計回りに１周して、元の位置であるメモリ「０」の位置に戻るが、クロノグラフ分針１６が１メモリ進んでしまう。このため、クロノグラフ秒針１５とクロノグラフ分針１６の両方の位置ずれを修正する場合、スイッチＢを３５９９回も押下しなければならず、利用者にとっての操作負担が増大する問題があった。
本発明は、このような問題点を解決し、利用者の操作性を向上させることができる。
【００６３】
また、自動デモ運針による指針の位置ずれの修正を容易にするため、修正モードにおいて、正転運針だけでなく、逆転運針も可能とする操作を追加することが考えられる。
しかし、本実施形態に係る電子時計１０のように、クロノグラフのストップウォッチ機能において、クロノグラフ１／１０秒表示モータ３０およびクロノグラフ秒表示モータ３１の２つのモータでそれぞれ運針される指針を備える構成である場合、それぞれを修正するためのスイッチＡとスイッチＢとが必要になる。このため、修正モードにおいて、クロノグラフ１／１０秒針１４とクロノグラフ秒針１５のそれぞれを逆転運針させるスイッチをさらに設ける必要があり、コストが増大するとともに、操作が複雑になるおそれがある。
また、りゅうず１７の段階を増やしてスイッチＡとＢによる操作信号を切り替えることにより、修正モードにおいて、クロノグラフ１／１０秒針１４とクロノグラフ秒針１５のそれぞれを逆転運針させる操作信号を出力することが考えられるが、システムが複雑化することでコストが増大するとともに、操作が複雑となるおそれがある。
従って、システムの簡略化やコスト削減の観点からしても、本発明のようにして、自動デモ運針による指針の位置ずれの修正することが有益である。
【００６４】
［第２実施形態］
次に、本発明による第２実施形態について説明する。なお、第１実施形態において説明した構成と同様の構成については、同一の符号を付して詳細な説明は省略する。
図８は、本実施形態に係る電子時計１００の機能の一例を説明するための図である。
図８に示す通り、りゅうず位置０段階状態におけるスイッチＡ機能、スイッチＢ機能およびりゅうず機能と、りゅうず位置１段階状態におけるスイッチＡ機能、スイッチＢ機能およびりゅうず機能は、第１実施形態と同じである。
本実施形態に係る電子時計１００は、これに加えて、以下の機能を有する。
つまり、電子時計１００は、りゅうず位置０段状態であって、制御部２３によってデモ運針が実行されている場合、スイッチＡがＧの方向に１回押下されることで、クロノグラフ１／１０秒針１４、クロノグラフ秒針１５およびクロノグラフ分針１６の回転を停止させ、デモ運針を中断させる。
さらに、電子時計１００は、りゅうず位置１段状態であって、制御部２３によってデモ運針が実行されている場合、スイッチＢがＨの方向に１回押下されることで、クロノグラフ１／１０秒針１４、クロノグラフ秒針１５およびクロノグラフ分針１６の回転を停止させ、デモ運針を中断させる。
【００６５】
次に、図９を参照して、本実施形態に係る電子時計１００の構成の一例について説明する。図９は、本実施形態に係る電子時計１００の構成の一例を示す図である。
図９に示す通り、本実施形態に係る電子時計１００は、図３に示した第１実施形態に係る電子時計１０のデモ運針正転回数記憶部３８とデモ運針正転回数記憶部３９を有しない点において異なる。
また、本実施形態に係る制御ソフトウェア３５に記憶されている制御ソフトウェアプログラムには、デモ運針において、予め決められているデモ運針逆転回数で逆転運針を行った後に、予め決められているデモ運針正転回数で正転運針を行うとともに、デモ運針中にスイッチＡあるいはスイッチＢが押下された場合にデモ運針を中断させることが予め決められている。本実施形態において、デモ運針正転回数とデモ運針正転回数は、ともに３０メモリ（３０運針）である。
さらに、本実施形態に係る記憶部３６は、デモ運針の際に、制御部２３によってクロノグラフ１／１０秒針１４およびクロノグラフ秒針１５を正転運針させるデモ運針正転回数（メモリ値）と、クロノグラフ１／１０秒針１４およびクロノグラフ秒針１５を逆転運針させるデモ運針逆転回数（メモリ値）を記憶する。
【００６６】
つまり、デモ運針において、制御部２３は、記憶部３６を参照して、基準位置からクロノグラフ１／１０秒針１４およびクロノグラフ秒針１５を、例えば反時計回りに回転させた後時計回りに逆転させている途中に、ユーザがスイッチＡあるいはスイッチＢを押下した場合にデモ運針を中断させる。これにより、基準位置から時計回りの方向への回転角度が、基準位置から反時計回りの方向への回転角度よりも小さくなる位置に指針を位置させるようにデモ運針を行うことができる。
なお、上述の通り、クロノグラフ１／１０秒針１４、クロノグラフ秒針１５およびクロノグラフ分針１６は、ユーザがスイッチＡ，Ｂあるいはりゅうず等を操作したことにより制御部２３から入力する操作信号に基づき、時計回りの方向にのみ回転するものである。
【００６７】
次に、図１０を用いて、電子時計１０の動作について説明する。
図１０は、電子時計１０のデモ運針のフローについて説明ためのフローチャートである。
図１０に示す通り、例えば、利用者によって電池交換が行われると、交換された電池３７の電力が制御部２３に供給される。これにより、制御部２３は、制御ソフトウェア３５を参照して、電源が投入されたことを判断し、デモ運針を開始する。また、制御部２３は、電池３７からの電力を発振器２１に供給して、発振器２１からの基準クロック信号を得る。
この制御部２３は、スイッチＡあるいはスイッチＢが押下されたか否かを判断する（ステップＳＴ４１）。そして、制御部２３は、スイッチＡあるいはスイッチＢが押下されたことを検出しない場合、第３駆動回路２８を駆動させ、クロノグラフ秒針１５を逆転方向に１運針させる（ステップＳＴ４２）。ここで、制御部２３は、内蔵するカウンタを利用して、この逆転方向の運針回数をカウントし、内蔵する記憶部に一次的に記憶する。
次いで、制御部２３は、一次的に記憶されている逆転方向の運針回数が、このデモ運針逆転回数に到達したか否かを判断する（ステップＳＴ４３）。デモ運針逆転回数に到達していない場合（ステップＳＴ４３−ＮＯ）、制御部２３は、ステップＳＴ４１に戻る。
【００６８】
一方、実際に反時計回り方向に回転させた逆転方向の運針回数が、デモ運針正転回数に到達したことを判断した場合（ステップＳＴ４３−ＹＥＳ）、制御部２３は、第３駆動回路２８を駆動させ、クロノグラフ秒針１５を正転方向に１運針させる（ステップＳＴ４４）。ここで、制御部２３は、内蔵するカウンタを利用して、正転方向の運針回数をカウントし、内蔵する記憶部に一次的に記憶する。
次いで、制御部２３は、記憶部３６に記憶されているデモ運転正転回数（３０運針）を読み出し、一次的に記憶されている正転方向の運針回数が、このデモ運針正転回数に到達したか否かを判断する（ステップＳＴ４５）。デモ運針正転回数に到達していない場合（ステップＳＴ４５−ＮＯ）、制御部２３は、ステップＳＴ４１に戻る。
なお、このデモ運針において、第３駆動回路２８は、デモ運針終了時の駆動極性を記憶部に記憶しておく。
【００６９】
次いで、制御部２３は、りゅうず１７がりゅうず位置１段状態であるか、あるいは、りゅうず位置０段状態であるかを判断する（ステップＳＴ４６）。
制御部２３は、りゅうず位置０段状態であると判断した場合（ステップＳＴ４６−ＹＥＳ）、りゅうず０段処理に進む（ステップＳＴ４７）。一方、制御部２３は、りゅうず位置１段状態であると判断した場合（ステップＳＴ４６−ＮＯ）、りゅうず１段処理に進む（ステップＳＴ４８）。
なお、上述において、図６、７を用いて説明した動作と同様の動作についても、電子時計１０は実行可能である。なお、この動作については、図１１、１２に示すとともに、詳細の説明については省略する。
【００７０】
上述の通り、本実施形態に係る電子時計１００は、修正モード（りゅうず１段処理）において、スイッチＡあるいはスイッチＢが押下されることで、クロノグラフ１／１０秒針１４あるいはクロノグラフ秒針１５を、時計回りの方向である正転方向にしか運針できない操作部（スイッチＡあるいはスイッチＢ）を有する。この構成において、制御部２３は、デモ運針中にスイッチＡあるいはスイッチＢが押下されることで、クロノグラフ１／１０秒針１４およびクロノグラフ秒針１５の回転を停止させ、デモ運針を中断させるものである。
これにより、デモ運針中に利用者がスイッチＡあるいはスイッチＢを押下することで、デモ運針を開始する前の基準位置よりも反時計回りの方向にある半周の範囲内に反時計回りの方向にクロノグラフ１／１０秒針１４あるいはクロノグラフ秒針１５を停止させることができる。
【００７１】
例えば、上述の通り、一周が６０運針のところを、デモ運針において、反時計回りに３０運針した後に時計回りに３０運針する場合、デモ運針の途中でスイッチＡあるいはスイッチＢが押下されると、クロノグラフ秒針１５はメモリ「３０」〜メモリ「６０」の間で停止する。つまり、基準位置がメモリ「０」である場合、このメモリ「０」から反時計回りにメモリ「５９、５８、５７、・・・、３２、３１、３０」の範囲（メモリ「３０〜５９、０」）内に、クロノグラフ秒針１５を停止させることができる。
【００７２】
ここで、デモ運針の最初の１運針目で、第３駆動回路２８のモータ駆動極性が吸引状態となった場合、クロノグラフ秒針１５は、反時計回りに２９運針した後に時計回りに３０運針する。このため、デモ運針が利用者により中断されない場合、デモ運針を開始する前の状態においてメモリ「０」の基準位置にあったクロノグラフ秒針１５がメモリ「１」のところで停止する。従って、クロノグラフ秒針１５をメモリ「０」の基準息位置に戻すためには、例えばクロノグラフ分針１６が６０分まであった場合など、スイッチＡを３５９９回も押下して、クロノクロノグラフ秒針１５を時計回りに３５９９運針させなければならない。あるいはスイッチＡを押し続けることでクロノグラフ秒針１５を自動的に連続運針を行う方法もあるが、相当の時間を要すると考えられる。
【００７３】
しかし、本発明に係る電子時計によれば、デモ運針中にクロノグラフ秒針１５を停止することができるため、メモリ「３０」〜メモリ「６０」の間で停止する。従って、クロノグラフ秒針１５をメモリ「０」のところに戻すためには、スイッチＡを、多くとも３０回押下することで、クロノグラフ秒針１５を時計回りに運針させて、メモリ「０」のところに戻すことができる。従って、デモ運針によって指針の位置がずれるおそれがある場合、デモ運針中に利用者が中断を指示することによって、指針を元の位置に戻す際の操作負担が軽減され、より短い時間で修正することができる。
【００７４】
また、デモ運針による指針の位置ずれの修正を容易にするため、修正モードにおいて、正転運針だけでなく、逆転運針も可能とする操作を追加することが考えられる。
しかし、本実施形態に係る電子時計１０のように、クロノグラフのストップウォッチ機能において、クロノグラフ１／１０秒表示モータ３０およびクロノグラフ秒表示モータ３１の２つのモータでそれぞれ運針される指針を備える構成である場合、それぞれを修正するためのスイッチＡとスイッチＢとが必要になる。このため、修正モードにおいて、クロノグラフ１／１０秒針１４とクロノグラフ秒針１５のそれぞれを逆転運針させるスイッチをさらに設ける必要があり、コストが増大するとともに、操作が複雑になるおそれがある。
また、りゅうず１７の段階を増やしてスイッチＡとＢによる操作信号を切り替えることにより、修正モードにおいて、クロノグラフ１／１０秒針１４とクロノグラフ秒針１５のそれぞれを逆転運針させる操作信号を出力することが考えられるが、システムが複雑化することでコストが増大するとともに、操作が複雑となるおそれがある。
従って、システムの簡略化やコスト削減の観点からしても、本発明のようにして、児童デモ運針による指針の位置ずれの修正することが有益である。
【００７５】
なお、本発明は上記実施形態に限られず、例えば、以下のようなものであってもよい。
例えば、制御部２３は、電池３７からの電流が供給されたことを検出した場合にデモ運針を行うと説明した。しかし、本発明はこれに限られず、例えばりゅうず１７が押し込まれることによって、修正モードから通常モードに切り替えられた場合、制御部２３がこれを検出して、デモ運針を行うものであってもよい。
【００７６】
［第３実施形態］
次に、本発明による第３実施形態について説明する。なお、第１実施形態において説明した構成と同様の構成については、同一の符号を付して詳細な説明は省略する。
ここで、図１３を参照して、本実施形態に係る電子時計２００の構成の一例について説明する。図１３は、本実施形態に係る電子時計２００の構成の一例を示す図である。
図１３に示す通り、本実施形態に係る電子時計２００は、図３に示した第１実施形態による電子時計１０のデモ運針正転回数記憶部３８とデモ運針正転回数記憶部３９に換えて、デモ運針カウント数数記憶部４０とデモ運針規定数記憶部４１を有する点において異なる。
【００７７】
このデモ運針カウント数記憶部４０は、デモ運針時において指針が運針した回数であって、制御部２３がカウントしたデモ運針時の運針回数であるデモ運針カウント数を記憶する。このデモ運針カウント数は、初期状態において、「０」である。デモ運針カウント数の「１」は、クロノグラフ１／１０秒針１４あるいはクロノグラフ秒針１５が、それぞれ１メモリ分だけ動いたことを示す。つまり、１運針分の移動量を意味する。なお、デモ運針カウント数記憶部４０は、指針ごとにカウントしたデモ運針カウント数を記憶する。本実施形態においては、クロノグラフ１／１０秒針１４についての説明は省略し、以下、クロノグラフ秒針１５のデモ運針を例に説明する。
【００７８】
デモ運針規定数記憶部４１は、デモ運針において指針の運針する回数として予め決められているデモ運針規定数を記憶する。本実施形態において、デモ運針は、指針が最初に反時計回りに回転した後に時計回りに回転するものである。よって、デモ運針規定数は、デモ運針の折り返し地点での回数であり、言い換えると、最初の回転方向である反時計回りに回転する回数である。ここでは、デモ運針規定数は「３０」と予め決められている。なお、デモ運針規定数記憶部４１は、指針ごとに予め決められているデモ運針規定数を記憶する。本実施形態においては、クロノグラフ１／１０秒針１４についての説明は省略し、以下、クロノグラフ秒針１５のデモ運針を例に説明する。
【００７９】
次に、図１４を参照して、本実施形態による電子時計２００の自動デモ運針の処理フローの一例について説明する。図１４は、電子時計２００の自動デモ運針の処理フローについて説明するためのフローチャートである。
図１４に示す通り、例えば、利用者によって電池交換が行われると、交換された電池３７の電力が制御部２３に供給される。これにより、制御部２３は、制御ソフトウェア３５を参照して、電源が投入されたことを判断し、デモ運針を開始する。また、制御部２３は、電池３７からの電力を発振器２１に供給して、発振器２１からの基準クロック信号を得る。
【００８０】
この制御部２３は、スイッチＡあるいはスイッチＢが押下されたか否かを判断する（ステップＳＴ５１）。そして、制御部２３は、スイッチＡあるいはスイッチＢが押下されたことを検出しない場合、第３駆動回路２８を駆動させ、クロノグラフ秒針１５を逆転方向に１運針させる（ステップＳＴ５２）。ここで、制御部２３は、内蔵するカウンタを利用して、この逆転方向の運針回数をカウントする。そして、制御部２３は、カウントした運針回数を、デモ運針カウント数記憶部４０が記憶するデモ運針カウント数に加算する（ステップＳＴ５３）。
初期状態において、デモ運針カウント数記憶部４０が記憶するデモ運針カウント数は「０」であり、制御部２３は、ステップＳＴ５２における１運針を示す運針回数「１」をこのデモ運針カウント数「０」に加算する。これにより、デモ運針カウント数記憶部４０が記憶するデモ運針カウント数は、「１」となる。つまり、本実施形態において、クロノグラフ秒針１５を修正モードにおいて修正できる回転方向は、時計回りの方向である。よって、制御部２３は、修正できる回転方向と逆向きの反時計回りの方向に運針した運針回数には「＋」の符号を付して、デモ運針カウント数記憶部４０のデモ運針カウント数に記憶させる。
【００８１】
次いで、制御部２３は、デモ運針カウント数記憶部４０に記憶されているデモ運針カウント数が、デモ運針規定数記憶部４１に記憶されているデモ運針規定数に到達したか否かを判断する（ステップＳＴ５４）。カウント数がデモ運針規定数に到達していない場合（ステップＳＴ５４−ＮＯ）、制御部２３は、ステップＳＴ５１に戻る。
そして、ステップＳＴ５１おいて、制御部２３は、スイッチＡあるいはスイッチＢが押下されたことを検出しない場合、第３駆動回路２８を駆動させ、クロノグラフ秒針１５を反時計回り（逆転方向）に１運針させる。次いで、ステップＳＴ５３において、制御部２３は、カウントした運針回数を、デモ運針カウント数記憶部４０が記憶するデモ運針カウント数に加算する。つまり、デモ運針カウント数記憶部４０に記憶されているデモ運針カウント数は「１」であるため、制御部２３は、このデモ運針カウント数「１」に、ステップＳＴ５２における運針の回数「１」を加算する。これにより、デモ運針カウント数記憶部４０が記憶するデモ運針カウント数は、「１」となる。
【００８２】
制御部２３は、ステップＳＴ５１において、スイッチＡあるいはスイッチＢが押下されるまで、このステップＳＴ５２とステップＳＴ５３を繰り返す。デモ運針カウント数がデモ運針規定数に到達する前に、スイッチＡあるいはスイッチＢが押下された場合（ステップＳＴ５１−ＹＥＳ）、制御部２３はステップＳＴ５５に移行する。つまり、クロノグラフ秒針１５を反時計回りに回転させている途中でユーザによりスイッチＡあるいはスイッチＢが押下された場合、デモ運針規定数未満であっても、制御部２３は、反時計回りの運針を終了して、ステップＳＴ５５以降の時計回りの運針に切り換える。
あるいは、制御部２３が、デモ運針カウント数がデモ運針規定数に到達したことを判断した場合（ステップＳＴ５４−ＹＥＳ）、制御部２３は、ステップＳＴ５５に移行する。つまり、クロノグラフ秒針１５を反時計回りに回転させている途中でユーザによりスイッチＡあるいはスイッチＢが押下されなかった場合であっても、デモ運針規定数に到達した段階で、制御部２３は、反時計回りの運針を終了して、ステップＳＴ５５以降の時計回りの運針に切り換える。
【００８３】
そして、制御部２３は、第３駆動回路２８を駆動させ、クロノグラフ秒針１５を正転方向に１運針させる（ステップＳＴ５５）。次いで、制御部２３は、デモ運針カウント数記憶部４０に記憶されているデモ運針カウント数から「１」を減算する（ステップＳＴ５６）。つまり、本実施形態において、クロノグラフ秒針１５を修正モードにおいて修正できる回転方向は、時計回りの方向である。よって、制御部２３は、修正できる回転方向と同一の時計回りの方向に運針した運針回数には「−」の符号を付して、デモ運針カウント数記憶部４０のデモ運針カウント数に記憶させる。
次いで、制御部２３は、デモ運針カウント数記憶部４０に記憶されているデモ運針カウント数が「１」であるか否かを判断する（ステップＳＴ５７）。デモ運針カウント数が「１」でない場合（ステップＳＴ５７−ＮＯ）、制御部２３は、ステップＳＴ５５に戻る。そして、制御部２３は、ステップＳＴ５７において、デモ運針カウント数が「１」になるまで、ステップＳＴ５５とステップＳＴ５６の処理を繰り返す。そして、ステップＳＴ５７において、デモ運針カウント数が「１」になった場合、制御部２３は、クロノグラフ秒針１５の時計回りの運針を終了させる（ステップＳＴ５７−ＹＥＳ）。
なお、このデモ運針において、第３駆動回路２８は、デモ運針終了時の駆動極性を記憶部に記憶しておく。
【００８４】
上述のステップＳＴ５１において、スイッチＡあるいはスイッチＢが押下されたことにより、ステップＳＴ５５に移行した場合、デモ運針カウント数記憶部４０に記憶されているデモ運針カウント数は、デモ運針規定数「３０」よりも少ない数である。
例えば、デモ運針においてクロノグラフ秒針１５を反時計回りに運針している途中でスイッチＡあるいはスイッチＢが押下されたとする。この押下された際にデモ運針カウント数が「１５」であった場合、制御部２３は、基準位置から１５メモリ分だけ、クロノグラフ秒針１５を反時計回りに回転させている。この制御部２３は、デモ運針規定数の３０メモリ分の指針を回転させることなく、スイッチＡあるいはスイッチＢが押下された位置、つまり、基準位置から反時計回りの方向に１５メモリ分の位置から回転方向を逆転させ、クロノグラフ秒針１５を時計回りに回転させる。ここで、制御部２３は、上述のステップＳＴ５７において説明したとおり、デモ運針カウント数よりも「１」だけ少ない数に到達したところで、時計回りに指針を回転させることを終了する。つまり、制御部２３は、クロノグラフ秒針１５を時計回りに１４メモリ分だけ回転させる。
【００８５】
よって、最初の回転時において指針が正常に回転した場合、実際の指針の回転数とデモ運針カウント数が等しいため、デモ運針終了後の指針は、基準位置よりも反時計回りの方向に１メモリだけ遡った位置に位置している。一方、最初の回転時において指針が正常に回転しなかった場合、実際の指針の回転数は、デモ運針カウント数よりも「１」だけ少ない。よって、デモ運針終了後の指針は、基準位置に位置している。
【００８６】
上に説明した例の通り、デモ運針の途中でスイッチＡあるいはスイッチＢが押下された場合について具体的に説明する。
例えば、自動デモ運針の最初の１運針目で、第３駆動回路２８のモータ駆動極性が吸引状態となった場合であっても、最初にメモリ「０」の基準位置にあったクロノグラフ秒針１５は、反時計回りに１４運針した後、時計回りに１４運針する。このため、クロノグラフ秒針１５は、最初のメモリ「０」の基準位置に戻ってくる。
一方、自動デモ運針の最初の１運針目で、第３駆動回路２８のモータ駆動極性が吸引状態とならなかった場合であっても、最初にメモリ「０」の基準位置にあったクロノグラフ秒針１５は、反時計回りに１５運針した後、時計回りに１４運針する。このため、クロノグラフ秒針１５は、メモリ「０」の基準位置よりも１メモリだけ反時計回り方向のメモリ「５９」の位置となる。よって、このように自動デモ運針の後で指針が元の位置に戻らない場合であっても、スイッチＡを１回押下するだけで、クロノグラフ秒針１５をメモリ「０」の基準位置に戻すことができる。従って、デモ運針によって指針が位置ずれした場合の修正において、利用の操作が容易であり、短い時間で修正することができる。
【００８７】
つまり、デモ運針において、制御部２３は、基準位置から時計回りの方向への回転角度が、基準位置から反時計回りの方向への回転角度よりも小さくなる位置に指針を位置させるようにデモ運針を行う。
なお、上述の通り、クロノグラフ１／１０秒針１４、クロノグラフ秒針１５およびクロノグラフ分針１６は、ユーザがスイッチＡ，Ｂあるいはりゅうず等を操作したことにより制御部２３から入力する操作信号に基づき、時計回りの方向にのみ回転するものである。
【００８８】
次いで、制御部２３は、りゅうず１７がりゅうず位置１段状態であるか、あるいは、りゅうず位置０段状態であるかを判断する（ステップＳＴ５８）。
制御部２３は、りゅうず位置０段状態であると判断した場合（ステップＳＴ５８−ＹＥＳ）、りゅうず０段処理に進む（ステップＳＴ５９）。一方、制御部２３は、りゅうず位置１段状態であると判断した場合（ステップＳＴ５８−ＮＯ）、りゅうず１段処理に進む（ステップＳＴ６０）。
【００８９】
上述の通り、本実施形態に係る電子時計２００は、つまり、デモ運針において、運針した回数をカウントしておき、そのカウント数が１未満にならないように指針を回転させることができる。例えば、電子時計２００は、時計回りの運針回数と反時計回りに運針回数をカウントし、修正モードにおいて指針を修正できる時計回りの運針回数を、反時計回りの運針回数から減算した解であるデモ運針カウント数が「１」となった段階で、デモ運針を終了する。
これにより、デモ運針において、制御部２３は、基準位置から時計回りの方向への回転角度が、基準位置から反時計回りの方向への回転角度よりも小さくなる位置に指針を位置させるようにデモ運針を行うことができる。
従って、本実施形態に係る電子時計２００は、上述の第１、２の実施形態同様の効果を奏することができる。
【００９０】
なお、上述において、デモ運針は、反時計回りに回転した後に時計回りに回転する運動、あるいは、反時計回りに回転した後に時計回りに回転する運動であると説明したが、本発明はこれに限られない。例えば、以下に説明するとおり、反時計回りの運針と時計回りの運針を組み合わせることにより、回転方向を２回以上逆転させるようなデモ運動であってもよい。
例えば、制御部２３は、デモ運針において、最初に基準位置に位置する指針を時計回りに１運針させ、回転方向を逆転し、反時計回りに１運針させる。続けて、制御部２３は、さらに回転方向を逆転し、時計回りに３０運針させ、回転方向を逆転し、反時計回りに３０運針させる。
これにより、例えば、自動デモ運針の最初の１運針目で、第３駆動回路２８のモータ駆動極性が吸引状態となった場合であっても、最初にメモリ「０」の基準位置にあったクロノグラフ秒針１５は、反時計回りに１運針した後、時計回りに３０運針し、続けて、反時計回りに３０運針する。このため、クロノグラフ秒針１５は、メモリ「０」の基準位置よりも１メモリだけ反時計回り方向のメモリ「５９」の位置となる。
一方、自動デモ運針の最初の１運針目で、第３駆動回路２８のモータ駆動極性が吸引状態とならなかった場合であっても、最初にメモリ「０」の基準位置にあったクロノグラフ秒針１５は、時計回りに１運針し、反時計回りに１運針した後、時計回りに３０運針し、続けて、反時計回りに３０運針する。このため、クロノグラフ秒針１５は、最初のメモリ「０」の基準位置に戻ってくる。
よって、このように自動デモ運針の後で指針が元の位置に戻らない場合であっても、スイッチＡを１回押下するだけで、クロノグラフ秒針１５をメモリ「０」の基準位置に戻すことができる。従って、デモ運針によって指針が位置ずれした場合の修正において、利用の操作が容易であり、短い時間で修正することができる。
【００９１】
また、例えば、制御部２３は、デモ運針において、最初に基準位置に位置する指針を反時計回りに３０運針させ、回転方向を逆転し、時計回りに３０運針させる。続けて、制御部２３は、さらに回転方向を逆転し、反時計回りに１運針させる。
これにより、例えば、自動デモ運針の最初の１運針目で、第３駆動回路２８のモータ駆動極性が吸引状態となった場合であっても、最初にメモリ「０」の基準位置にあったクロノグラフ秒針１５は、反時計回りに２９運針した後、時計回りに３０運針し、続けて、反時計回りに１運針する。このため、クロノグラフ秒針１５は、最初のメモリ「０」の基準位置に戻ってくる。
一方、自動デモ運針の最初の１運針目で、第３駆動回路２８のモータ駆動極性が吸引状態とならなかった場合であっても、最初にメモリ「０」の基準位置にあったクロノグラフ秒針１５は、反時計回りに３０運針した後、時計回りに３０運針し、続けて、反時計回りに１運針する。このため、クロノグラフ秒針１５は、メモリ「０」の基準位置よりも１メモリだけ反時計回り方向のメモリ「５９」の位置となる。
よって、このように自動デモ運針の後で指針が元の位置に戻らない場合であっても、スイッチＡを１回押下するだけで、クロノグラフ秒針１５をメモリ「０」の基準位置に戻すことができる。従って、デモ運針によって指針が位置ずれした場合の修正において、利用の操作が容易であり、短い時間で修正することができる。
【００９２】
また、電子時計１０、１００、２００の動作の過程は、コンピュータに実行させるためのプログラムや、このプログラムとしてコンピュータ読み取り可能な記録媒体として利用可能であり、コンピュータシステムが読み出して実行することによって、上記処理が行われる。なお、ここでいう「コンピュータシステム」とは、ＣＰＵ及び各種メモリやＯＳ、周辺機器等のハードウェアを含むものである。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００９３】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に記憶したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムに既に記録されているプログラムとの組み合せで実現できるもの、いわゆる差分ファイル（差分プログラム）であっても良い。
【符号の説明】
【００９４】
１０  電子時計
２１  発振器
２２  分周回路
２３  制御部
２４  時刻駆動タイミング発生部
２５  クロノ駆動タイミング発生部
２６  第１駆動回路
２７  第２駆動回路
２８  第３駆動回路
２９  時刻表示モータ
３０  クロノグラフ１／１０秒表示モータ
３１  クロノグラフ秒表示モータ
３２  時刻針部
３３  クロノ１／１０秒針部
３４  クロノ秒針部
３５  制御ソフトウェア
３６  記憶部
３７  電池
３８  デモ運針正転回数記憶部
３９  デモ運針逆転回数記憶部
４０  デモ運針カウント数記憶部
４１  デモ運針規定数記憶部
【図１】
2011221003.tif 000003
【図２】
2011221003.tif 000004
【図３】
2011221003.tif 000005
【図４】
2011221003.tif 000006
【図５】
2011221003.tif 000007
【図６】
2011221003.tif 000008
【図７】
2011221003.tif 000009
【図８】
2011221003.tif 000010
【図９】
2011221003.tif 000011
【図１０】
2011221003.tif 000012
【図１１】
2011221003.tif 000013
【図１２】
2011221003.tif 000014
【図１３】
2011221003.tif 000015
【図１４】
2011221003.tif 000016
【図１５Ａ】
2011221003.tif 000017
【図１５Ｂ】
2011221003.tif 000018